(57)【要約】【課題】地図情報を更新するための調査を行う調査員の動態を適切に評価することができる地図情報管理装置及びプログラムを提供する。【解決手段】地図情報管理装置２は、所在地と地物の情報とを土地の区画ごとに示す地図情報を更新するために、対象区画に対して調査員が行う地物調査において、調査員が端末３００に入力した地物の調査結果と、地物調査における端末３００の移動経路の情報とを取得する調査結果登録部１１２と、対象区画の地図情報における所在地と、地物調査における端末３００の移動経路とに基づいて、調査員の動態の妥当性を評価する動態評価部１１４と、を備える。【選択図】図２
2020194132.tif 000002
【特許請求の範囲】
【請求項１】
所在地と地物の情報とを土地の区画ごとに示す地図情報を更新するために、対象区画に対して調査員が行う地物調査において、調査員が端末に入力した地物の調査結果と、前記地物調査における前記端末の移動経路の情報とを取得する調査結果取得部と、
前記対象区画の前記地図情報における所在地と、前記地物調査における前記端末の移動経路とに基づいて、調査員の動態の妥当性を評価する動態評価部と、を備える地図情報管理装置。
【請求項２】
前記動態評価部は、前記対象区画の地物の調査結果が前記端末に入力された日時と、当該対象区画を前記端末が経由した日時とに更に基づいて調査員の動態の妥当性を評価する、請求項１記載の地図情報管理装置。
【請求項３】
前記端末により入力された地物の調査結果に基づいて前記地図情報を更新する更新部と、
地物の調査結果を入力した調査員の動態の妥当性に基づいて、当該地物の調査結果に基づく前記地図情報の更新可否を判定する更新可否判定部と、を更に備える、請求項１又は２記載の地図情報管理装置。
【請求項４】
前記地物調査において地物の調査結果が前記端末に入力された日時を、当該地物の情報に対応付けて前記地図情報に追加する調査日時記録部と、
指定された地物の最新の調査結果が入力された日時を前記地図情報に基づいて表示する調査日時表示部と、を更に備える、請求項１〜３のいずれか一項記載の地図情報管理装置。
【請求項５】
複数の対象区画のそれぞれに対し最新の調査結果が入力された日時に基づいて、当該複数の対象区画を調査するための推奨ルートを導出するルート導出部を更に備える、請求項４記載の地図情報管理装置。
【請求項６】
所在地と地物の情報とを土地の区画ごとに示す地図情報を更新するために、対象区画に対して調査員が行う地物調査において、調査員が端末に入力した地物の調査結果を取得することと、
前記地物調査における前記端末の移動経路の情報を取得することと、
前記地物の調査結果と、前記移動経路の情報とを地図情報管理装置に送信することと、を端末に実行させるためのプログラム。
【発明の詳細な説明】
【技術分野】
【０００１】
本開示は、処理装置、プログラム及び／又はデータに関する。
【背景技術】
【０００２】
特許文献１には、利用者の訪問予定地の情報を取得することと、訪問予定地を含む複数の訪問地の他の利用者による訪問順の情報と、訪問地間の移動手段の情報とを含む旅行支援情報を作成することと、を含む情報処理方法が開示されている。
【先行技術文献】
【特許文献】
【０００３】
【特許文献１】特開２０１８−１２４２９２号公報
【発明の概要】
【発明が解決しようとする課題】
【０００４】
本開示は、地図情報を更新するための調査を行う調査員の動態を適切に評価することができる地図情報管理装置及びプログラムを提供する。
【課題を解決するための手段】
【０００５】
本開示の一側面に係る地図情報管理装置は、所在地と地物の情報とを土地の区画ごとに示す地図情報を更新するために、対象区画に対して調査員が行う地物調査において、調査員が端末に入力した地物の調査結果と、地物調査における端末の移動経路の情報とを取得する調査結果取得部と、対象区画の地図情報における所在地と、地物調査における端末の移動経路とに基づいて、調査員の動態の妥当性を評価する動態評価部と、を備える。
【０００６】
動態評価部は、対象区画の地物の調査結果が端末に入力された日時と、当該対象区画を端末が経由した日時とに更に基づいて調査員の動態の妥当性を評価してもよい。
【０００７】
地図情報管理装置は、端末により入力された地物の調査結果に基づいて地図情報を更新する更新部と、地物の調査結果を入力した調査員の動態の妥当性に基づいて、当該地物の調査結果に基づく地図情報の更新可否を判定する更新可否判定部と、を更に備えていてもよい。
【０００８】
地図情報管理装置は、地物調査において地物の調査結果が端末に入力された日時を、当該地物の情報に対応付けて地図情報に追加する調査日時記録部と、指定された地物の最新の調査結果が入力された日時を地図情報に基づいて表示する調査日時表示部と、を更に備えていてもよい。
【０００９】
地図情報管理装置は、複数の対象区画のそれぞれに対し最新の調査結果が入力された日時に基づいて、当該複数の対象区画を調査するための推奨ルートを導出するルート導出部を更に備えていてもよい。
【００１０】
本開示の他の側面に係るプログラムは、所在地と地物の情報とを土地の区画ごとに示す地図情報を更新するために、対象区画に対して調査員が行う地物調査において、調査員が端末に入力した地物の調査結果を取得することと、地物調査における端末の移動経路の情報を取得することと、地物の調査結果と、移動経路の情報とを地図情報管理装置に送信することと、を端末に実行させるためのプログラムである。
【図面の簡単な説明】
【００１１】
【図１】地図情報管理システムの構成を示す模式図である。
【図２】更新情報管理サーバと機能的に等価な構成を例示するブロック図である。
【図３】地物の更新データの内容を例示するテーブルである。
【図４】経路データの内容を例示するテーブルである。
【図５】地図情報管理サーバと機能的に等価な構成を例示するブロック図である。
【図６】地図情報の内容を例示するテーブルである。
【図７】端末と機能的に等価な構成を例示するブロック図である。
【図８】調査用メイン画面を例示する模式図である。
【図９】地物の調査結果の内容を例示するテーブルである。
【図１０】情報編集画面を例示する模式図である。
【図１１】形状編集画面を例示する模式図である。
【図１２】更新情報管理サーバ、地図情報管理サーバ及び端末のハードウェア構成図である。
【図１３】調査結果記録手順を例示するフローチャートである。
【図１４】動態の妥当性評価手順を示すフローチャートである。
【図１５】調査対象の情報送信手順を示すフローチャートである。
【図１６】パラメータ更新手順を示すフローチャートである。
【図１７】地図情報の更新手順を示すフローチャートである。
【図１８】メイン画面表示手順を示すフローチャートである。
【図１９】調査結果取得手順を示すフローチャートである。
【図２０】地物情報の取得処理手順を示すフローチャートである。
【図２１】地物形状の取得処理手順を示すフローチャートである。
【発明を実施するための形態】
【００１２】
以下、実施形態について、図面を参照しつつ詳細に説明する。説明において、同一要素又は同一機能を有する要素には同一の符号を付し、重複する説明を省略する。
【００１３】
〔地図情報システム〕
図１に示す地図情報管理システム１は、所在地と地物の情報とを土地の区画ごとに示す地図情報を記憶し、調査員による地物の調査結果に基づいて地図情報の更新を継続的に実行するシステムである。ここでの所在地は、区画内の一点の座標（例えば緯度・経度）で表されていてもよいし、区画が占める座標範囲（例えば緯度範囲・経度範囲）で表されていてもよい。地物の情報は、地物の識別情報、名称、種別、形状、位置、大きさ等を含む。例えば地図情報管理システム１は、地図情報管理装置２と、複数の端末３００とを備える。
【００１４】
複数の端末３００は、調査員が調査結果の入力に用いる携帯用の端末である。端末３００の具体例としては、ラップトップ型コンピュータ、タブレット型コンピュータ、又はスマートフォン等が挙げられる。
【００１５】
地図情報管理装置２は地図情報を記憶し、複数の端末３００から取得した地物の調査結果に基づいて地図情報を更新する。地図情報管理装置２は、例えば少なくとも一台のサーバ用コンピュータにより構成される。一例として、地図情報管理装置２は、更新情報管理サーバ１００と地図情報管理サーバ２００とを有する。地図情報管理サーバ２００は地図情報を記憶する。
【００１６】
更新情報管理サーバ１００は、地図情報管理サーバ２００と複数の端末３００との間に介在し、地物の調査結果を複数の端末３００から取得する。更新情報管理サーバ１００は、ネットワーク回線（例えばワイドエリアネットワーク９１１）を介して複数の端末３００との間で情報を送受信し、また、更新情報管理サーバ１００は、ネットワーク回線（例えばローカルエリアネットワーク９１２）を介して地図情報管理サーバ２００との間で情報を送受信する。
【００１７】
更新情報管理サーバ１００は、対象区画（例えば調査対象区画）に対して調査員が行う地物調査において、調査員が端末３００に入力した地物の調査結果と、地物調査の実行期間における端末３００の移動経路の情報とを取得することと、調査対象区画の地図情報における所在地と、地物調査の実行期間における端末３００の移動経路とに基づいて、調査員の動態の妥当性を評価することとを実行するように構成されている。
【００１８】
図２は、更新情報管理サーバ１００と機能的に等価な構成を例示するブロック図である。図２に示すように、更新情報管理サーバ１００は、機能上の構成（以下、「機能ブロック」という。）として、更新情報記憶部１１１と、調査結果登録部１１２と、動態評価部１１４とを有する。
【００１９】
更新情報記憶部１１１は、土地の区画ごとに地物の更新データを記憶する。例えば図３に示すように、各区画の地物の更新データは、「所在地」と、「調査日時」と、「チェック種別」と、「地物の情報」と、「経路データＩＤ」とを含む。
【００２０】
「所在地」は、地図情報における区画の所在地である。上述したように、所在地は、区画内の一点の座標（例えば緯度・経度）で表されていてもよいし、区画が占める座標範囲（例えば緯度範囲・経度範囲）で表されていてもよい。「調査日時」は、端末３００に地物の調査結果が入力された日時である。「チェック種別」は、地物の調査結果を複数の種類にカテゴライズする情報である。複数の種類の具体例としては、「調査員による目視確認」、「調査員による聞き込み確認」、及び「確認不能」等が挙げられる。
【００２１】
「地物の情報」は、地物の調査結果に基づく地物の情報である。更新データは、調査前の地物の情報（すなわち前回の調査結果に基づく地物の情報）と、調査後の地物の情報とを含んでいてもよい。「経路データＩＤ」は、地物調査（上記調査後の地物の情報を得るための地物調査）の実行期間における端末３００の移動経路を示す経路データの識別情報である。例えば図４に示すように、経路データは、日時ごとに端末３００の位置を示す時系列データである。経路データＩＤによって、地物調査の結果と、当該地物調査における端末３００の経路データとを対応付けることが可能となっている。
【００２２】
図２に戻り、調査結果登録部１１２（調査結果取得部）は、地物調査の結果と、地物調査の実行期間における端末３００の移動経路とを端末３００から受信して更新情報記憶部１１１に記録する。例えば調査結果登録部１１２は、調査対象区画ごとに、上記更新データの調査後の地物の情報を調査前の地物の情報に移し、地物の調査結果に基づいて調査後の地物の情報を更新する。更に調査結果登録部１１２は、地物調査の実行期間における端末３００の移動経路の経路データに上述した経路データＩＤを付し、当該経路データＩＤを各調査対象区画の更新データの経路データＩＤとする。
【００２３】
動態評価部１１４は、調査対象区画の地図情報における所在地と、地物調査における端末３００の移動経路とに基づいて、調査員の動態の妥当性を評価する。例えば動態評価部１１４は、調査対象区画ごとに、上記更新データの「所在地」と、上記更新データの「経路データＩＤ」により示される経路データとに基づいて、調査員の動態の妥当性を評価する。例えば動態評価部１１４は、調査員の動態の妥当性を数値の大きさで表す評価ポイントを算出し、算出結果を調査対応区画に対応付けて更新情報記憶部１１１に記録する（図３参照）。
【００２４】
一例として、動態評価部１１４は、調査対象区画の地図情報における所在地（以下、「対象所在地」という。）を、地物調査の実行期間における端末３００の移動経路（以下、「対象調査経路」という。）が通過している場合には、対象所在地を対象調査経路が通過していない場合よりも評価ポイントを高くする。動態評価部１１４は、対象調査経路から対象所在地までの最短距離が小さくなるのに応じて評価ポイントを高くしてもよい。
【００２５】
動態評価部１１４は、地物調査において調査対象区画の地物の調査結果が端末３００に入力された日時（以下、「調査日時」という。）と、当該地物調査において当該調査対象区画を端末３００が経由した日時（以下、「経由日時」という。）とに更に基づいて調査員の動態の妥当性を評価してもよい。ここでの経由とは、必ずしも調査対象区画内に入ることに限られず、調査対象区画に隣接する通路を通ることや調査対象区画の近くを通ることも含む。端末３００が調査対象区画内に入らない場合の経由日時は、端末３００が調査対象区画に最接近した日時を意味する。一例として、動態評価部１１４は、調査日時と経由日時との差が小さくなるのに応じて評価ポイントを高くする。
【００２６】
例えば動態評価部１１４は、対象調査経路から対象所在地までの距離に基づいて第１評価ポイントを算出し、調査日時と経由日時との差に基づいて第２評価ポイントを算出し、第１評価ポイントと第２評価ポイントとの平均値を評価ポイントとして算出してもよい。上記平均値の算出に際して、動態評価部１１４は、第１評価ポイントと第２評価ポイントとに重み付けをしてもよい。
【００２７】
更新情報管理サーバ１００は、評価ポイントが所定の閾値未満である調査対象区画（以下、「低ポイント区画」という。）の再調査を端末３００に要求することを更に実行するように構成されていてもよい。例えば更新情報管理サーバ１００は、再調査要求部１２１を更に有する。
【００２８】
再調査要求部１２１は、低ポイント区画の地物の調査に用いられた端末３００（以下、「担当端末」という。）に、低ポイント区画の地物の再調査を要求するメッセージを送信する。当該メッセージにおいて、再調査要求部１２１は、低ポイント区画のみを対象とした再調査を要求してもよいし、担当端末が調査対象とする全区画の再調査を要求してもよい。
【００２９】
更新情報管理サーバ１００は、複数の調査対象区画のそれぞれに対し最新の調査結果が入力された日時（最新の調査日時）に基づいて、当該複数の調査対象区画の調査の推奨ルートを導出するように構成されていてもよい。例えば更新情報管理サーバ１００は、調査対象情報送信部１３１と、ルート導出部１３２とを有する。
【００３０】
調査対象情報送信部１３１は、端末３００が調査対象とするエリア（以下、「端末３００の調査エリア」という。）に含まれる複数の区画の既登録情報を地図情報管理サーバ２００から取得し、当該端末３００に送信する。既登録情報は、地図情報管理サーバ２００が記憶する地図情報が含む区画の所在地及び区画内の地物の情報である。
【００３１】
なお、いずれかの区画が、隣り合う複数の調査エリアに跨る場合もある。このような区画がいずれの調査エリアに含まれるのかを明確にするために、調査対象情報送信部１３１は、区画ごとに予め設定された基準点が調査エリアに含まれるか否かに基づいて、調査エリア内のいずれの区画が調査対象区画であるかを特定し、端末３００に通知してもよい。基準点の具体例としては、地図情報を用いたルート探索においてその区画に存在する地物の出入口にアクセスするのに適した「到着地点」が挙げられる。基準点の情報は、例えば地物の情報に含まれている。例えば調査対象情報送信部１３１は、基準点が調査エリア内に位置する区画を当該調査エリアに含まれる調査対象区画とし、基準点が調査エリア外に位置する区画はたとえその一部が調査エリア内に入っていても調査対象区画とはしないようにする。
【００３２】
ルート導出部１３２は、端末３００の調査エリアに含まれる複数の調査対象区画の推奨ルートを導出して端末３００に送信する。例えばルート導出部１３２は、端末３００の調査エリアに含まれる複数の調査対象区画のそれぞれについて最新の調査日時を地図情報管理サーバ２００から取得し、当該複数の調査対象区画を最新の調査日時順に経由するルートを推奨ルートとして導出する。
【００３３】
更新情報管理サーバ１００は、新規の地物用に識別情報を生成することを更に実行するように構成されていてもよい。例えば更新情報管理サーバ１００は、新規ＩＤ生成部１４１を更に有する。新規ＩＤ生成部１４１は、端末３００からの要求に従って新規の地物用の識別情報を生成し、生成した識別情報を端末３００に送信する。例えば新規ＩＤ生成部１４１は、生成済みの最新の識別情報を記憶しておき、当該最新の識別情報に所定値を加算することで新たな識別情報を生成する。
【００３４】
更新情報管理サーバ１００は、地物の情報の入力インタフェースを定義するパラメータを設定することと、設定したパラメータを端末３００に送信することを更に実行するように構成されていてもよい。例えば更新情報管理サーバ１００は、パラメータ設定部１５１と、パラメータ記憶部１５２と、パラメータ更新部１５３とを更に有する。
【００３５】
パラメータ設定部１５１は、操作入力に基づいて上記パラメータを設定する。パラメータの具体例としては、入力用のコントロールの種類及び入力規則等が挙げられる。パラメータは、入力用のコントロールへの入力をガイドするために入力インタフェースに表示されるガイド用メッセージを更に含んでいてもよい。例えばパラメータ設定部１５１は、更新情報管理サーバ１００の操作者用の端末からネットワーク通信によって上記操作入力を取得し、取得した操作入力に基づいて上記パラメータを設定する。
【００３６】
パラメータ記憶部１５２は、パラメータ設定部１５１が設定したパラメータを記憶する。パラメータ更新部１５３は、パラメータ記憶部１５２が記憶するパラメータを複数の端末３００に送信する。これにより、各端末３００においては、調査用のプログラムを修正することなく入力インタフェースを更新することが可能となる。
【００３７】
地図情報管理サーバ２００は上述した地図情報を記憶し、端末３００により入力された地物の調査結果に基づいて地図情報を更新することと、地物の調査結果を入力した調査員の動態の妥当性に基づいて、当該地物の調査結果に基づく地図情報の更新可否を判定することとを実行するように構成されている。
【００３８】
図５は、地図情報管理サーバ２００と機能的に等価な構成を例示するブロック図である。図５に示すように、地図情報管理サーバ２００は、機能ブロックとして、地図情報記憶部２１１と、更新可否判定部２１２と、更新状況認識部２１３と、更新部２１４とを有する。
【００３９】
地図情報記憶部２１１は、上述した地図情報を記憶する。図６に示すように、地図情報は、区画の所在地と、区画内の地物の情報と、当該地物の情報の調査日時とを土地の区画ごとに含んでいる。
【００４０】
図５に戻り、更新可否判定部２１２は、地物の調査結果を入力した調査員の動態の妥当性に基づいて、当該地物の調査結果に基づく地図情報の更新可否を判定する。例えば更新可否判定部２１２は、更新情報管理サーバ１００の更新情報記憶部１１１が調査対象区画に対応付けて記憶する上記評価ポイントに基づいて、当該調査対象区画の更新データに基づく地図情報の更新可否を判定する。
【００４１】
一例として、更新可否判定部２１２は、調査対象区画に対応付けられた評価ポイントが上記閾値以上である場合には、当該調査対象区画の更新データに基づく地図情報の更新を可とする。一方、更新可否判定部２１２は、調査対象区画に対応付けられた評価ポイントが上記閾値未満である場合には、当該調査対象区画の更新データに基づく地図情報の更新を不可とする。
【００４２】
更新状況認識部２１３は、調査対象区画の更新データに基づく地図情報の更新が可であると更新可否判定部２１２により判定された場合に、当該調査対象区画における地物の情報の更新状況を確認する。例えば更新状況認識部２１３は、調査後の地物の情報が調査前の地物の情報から変わっているか否かを確認する。更新部２１４は、調査対象区画における調査後の地物の情報が調査前の地物の情報から変わっていると判定された場合に、地図情報における当該調査対象区画の地物の情報として、調査後の地物の情報を地図情報記憶部２１１に上書きする。
【００４３】
地図情報管理サーバ２００は、地物調査において地物の調査結果が端末３００に入力された日時を、当該地物の情報に対応付けて地図情報に追加することと、指定された地物の最新の調査結果が入力された日時を地図情報に基づいて表示することとを更に実行するように構成されていてもよい。例えば地図情報管理サーバ２００は、調査日時記録部２２１と、調査日時表示部２２２とを有する。
【００４４】
調査日時記録部２２１は、調査対象区画の更新データに基づく地図情報の更新が可であると更新可否判定部２１２により判定された場合に、当該調査対象区画の更新データの上記調査日時を地物の情報の調査日時として地図情報記憶部２１１に上書きする。調査日時表示部２２２は、地図情報の利用者等により指定された地物の最新の調査結果が入力された日時を地図情報に基づいて表示する。例えば調査日時表示部２２２は、操作者用の端末により指定された地物の調査日時を地図情報記憶部２１１の地図情報から取得し、当該日時を操作者用の端末に表示させる。
【００４５】
端末３００は、地物調査において、調査員が自端末に入力した地物の調査結果を取得することと、地物調査の実行期間における自端末の移動経路の情報を取得することと、地物の調査結果と、移動経路の情報とを更新情報管理サーバ１００に送信することと、を実行するように構成されている。
【００４６】
図７は、端末３００と機能的に等価な構成を例示するブロック図である。図７に示すように、端末３００は、機能ブロックとして、調査対象情報受信部３１１と、調査対象情報記憶部３１２と、ルート情報取得部３１３と、ＵＩ画面表示部３１４とを有する。
【００４７】
調査対象情報受信部３１１は、自端末の上記調査エリアを指定し、当該調査エリアに含まれる複数の区画の上記既登録情報を更新情報管理サーバ１００の調査対象情報送信部１３１から受信する。調査対象情報記憶部３１２は、調査対象情報受信部３１１が取得した既登録情報を調査対象区画ごとに記憶する。ルート情報取得部３１３は、自端末の調査エリアに含まれる複数の調査対象区画の上記推奨ルートを更新情報管理サーバ１００のルート導出部１３２から取得する。
【００４８】
ＵＩ画面表示部３１４は、調査対象情報記憶部３１２が記憶する既登録情報と、ルート情報取得部３１３が取得した推奨ルートとに基づいて地物調査用のインタフェース画面（以下、「調査用メイン画面」という。）を表示する。例えばＵＩ画面表示部３１４は、調査用メイン画面の表示用データを端末３００の表示デバイス３９５（後述）に出力する。
【００４９】
図８は、調査用メイン画面を例示する模式図である。図８に示すように、調査用メイン画面４００は、調査エリアウィンドウ４１０と、ツールバー４２０とを有する。調査エリアウィンドウ４１０は、調査エリアを表示するウィンドウである。例えば調査エリアウィンドウ４１０は、調査エリア内の複数の区画４１１と、各区画４１１内の地物４１２とを含む平面図を表示する。調査エリアウィンドウ４１０は、調査エリア内の複数の区画４１１のうちいずれが調査対象区画であるかを示すマーカ４１４を含んでいてもよい。
【００５０】
図８においては、上述したように基準点４１３が調査エリア内に位置する区画４１１が調査対象区画とされ、調査対象区画とされた区画４１１にマーカ４１４が付されている。調査エリア内に基準点４１３が位置しない区画４１１Ａは、調査対象区画とされていないので、区画４１１Ａにはマーカ４１４が付されていない。ＵＩ画面表示部３１４は、図８に例示する調査エリアの画像データを、調査対象情報記憶部３１２が記憶する情報に基づいて生成する。
【００５１】
ツールバー４２０は、地物の調査結果を入力するための複数のツールを含んでいる。例えば複数のツールは、エリア入力ボックス４２１と、調査開始ボタン４２２と、情報編集ボタン４２３と、形状編集ボタン４２４と、複数のチェックボタン４２５，４２６，４２７とを含む。
【００５２】
エリア入力ボックス４２１は、調査エリアを指定するための識別情報を入力するボックスである。調査開始ボタン４２２は、エリア入力ボックス４２１に入力された識別情報により調査エリアを指定して地物調査を開始するためのボタンである。調査対象情報受信部３１１は、調査開始ボタン４２２を押す操作（例えばタップ又はクリック）がなされるのに応じて、上述した調査対象エリアの指定と既登録情報の受信とを行う。
【００５３】
情報編集ボタン４２３は、調査エリアウィンドウ４１０において選択された地物の情報の編集を開始するためのボタンである。形状編集ボタン４２４は、調査エリアウィンドウ４１０において選択された地物の形状の編集を開始するためのボタンである。
【００５４】
チェックボタン４２５，４２６，４２７のそれぞれは、調査エリアウィンドウ４１０において選択された地物の調査が完了したことを入力するためのボタンである。チェックボタン４２５，４２６，４２７は、上述したチェック種別の複数の種類にそれぞれ割り当てられている。例えばチェックボタン４２５は「調査員による目視確認」に割り当てられ、チェックボタン４２６は「調査員による聞き込み確認」に割り当てられ、チェックボタン４２７は「確認不能」に割り当てられている。
【００５５】
図７に戻り、端末３００は、更に調査結果記憶部３２１と、地物情報取得部３２２と、チェック種別取得部３２４と、経路記憶部３２５と、現在位置情報取得部３２６と、調査結果送信部３２７とを有する。
【００５６】
調査結果記憶部３２１は、調査用メイン画面４００の操作により入力された地物の調査結果を調査対象区画ごとに記憶する。例えば図９に示すように、各調査対象区画の地物の調査結果は、上記「チェック種別」と、上記「所在地」と、上記「調査日時」と、上記「地物の情報」と、「調査メモ」とを含む。「調査メモ」は、調査における留意事項等、端末３００に残して活用すべく調査員が任意で入力する情報である。
【００５７】
図７に戻り、地物情報取得部３２２は、上述した情報編集ボタン４２３を押す操作に応じて地物の情報を編集するための画面（以下、「情報編集画面」という。）を表示し、情報編集画面への入力に従って地物の情報を取得する。また、地物情報取得部３２２は、上述した形状編集ボタン４２４を押す操作に応じて地物の形状を編集するための画面（以下、「形状編集画面」という。）を表示し、形状編集画面への入力に従って地物の形状の情報を取得する。例えば地物情報取得部３２２は、情報編集画面又は形状編集画面の表示用データを端末３００の表示デバイス３９５（後述）に出力する。
【００５８】
図１０は、情報編集画面を例示する模式図である。図１０に示すように、情報編集画面５００は、入力ボックス５１１，５１２，５１３と、ＩＤ取得ボタン５１４と、入力ボックス５１５と、入力ガイド表示部５２１，５２２，５２３と、登録ボタン５３１と、項目追加ボタン５３２とを有する。
【００５９】
入力ボックス５１１，５１２，５１３は、地物の情報を項目ごとに入力するためのボックスである。例えば入力ボックス５１１は、地物の名称を入力するためのボックスである。入力ボックス５１２は、地物の識別情報を入力するためのボックスである。入力ボックス５１３は、地物の種別を入力するためのボックスである。地物情報取得部３２２は、情報編集画面５００を最初に表示する際に、調査対象情報記憶部３１２が記憶する既登録情報をこれらの入力ボックス５１１，５１２，５１３に表示させ、その後の操作入力に従って入力ボックス５１１，５１２，５１３の表示を変更する。
【００６０】
ＩＤ取得ボタン５１４は、入力ボックス５１２に入力するための新規の識別情報の生成を要求するためのボタンである。地物情報取得部３２２は、ＩＤ取得ボタン５１４を押す操作に応じて、新規の識別情報の生成を更新情報管理サーバ１００の新規ＩＤ生成部１４１に要求し、これに応じ新規ＩＤ生成部１４１が生成した識別情報を入力ボックス５１２に表示する。
【００６１】
入力ボックス５１５は、上述した調査メモを入力するためのボックスである。入力ガイド表示部５２１，５２２，５２３は、入力ボックス５１１，５１２，５１３への入力をガイドするためのガイド用メッセージを表示するテキスト表示部である。
【００６２】
登録ボタン５３１は、入力ボックス５１１，５１２，５１３，５１５への入力内容の登録を指示するためのボタンである。地物情報取得部３２２は、登録ボタン５３１を押す操作に応じて入力ボックス５１１，５１２，５１３，５１５への入力内容を調査結果記憶部３２１に記録する。項目追加ボタン５３２は、入力項目を追加するためのボタンである。このボタンは、後述の個別パラメータの設定に用いられる。
【００６３】
図１１は、形状編集画面を例示する模式図である。図１１に示すように、形状編集画面６００は、編集ウィンドウ６１０と、登録ボタン６２１とを有する。編集ウィンドウ６１０は、地物画像６１１を表示するウィンドウである。地物画像６１１は、編集対象の地物の平面形状を拡大して示す画像である。
【００６４】
例えば地物情報取得部３２２は、編集ウィンドウ６１０に対するタッチ操作に応じて地物画像６１１の編集対象箇所を特定し、タッチ位置の移動に応じて上記編集対象箇所を移動させて地物画像６１１の形状を変更する。地物情報取得部３２２は、編集対象箇所の選択時と、編集対象箇所の移動時とで、地物画像６１１の表示位置（例えば地物画像６１１の頂点６１２の表示位置）を変更してもよい。
【００６５】
図１１の（ａ）は、編集ウィンドウ６１０に対するタッチ操作によって地物画像６１１の頂点６１２が編集対象箇所として選択された状態を示している。図１１の（ｂ）は、頂点６１２の移動時に頂点６１２の表示位置が変更された状態を示している。図１１の（ｂ）に示されるように、頂点６１２の表示位置が変更されることによって、頂点６１２が操作者の指の下から出て表示される。これにより、頂点６１２の正確な位置を目視確認しながら頂点６１２を移動させることが可能となる。
【００６６】
登録ボタン６２１は、編集ウィンドウ６１０における形状の編集結果の登録を指示するためのボタンである。地物情報取得部３２２は、登録ボタン６２１を押す操作に応じて、地物画像６１１に対応する形状を地物の形状として調査結果記憶部３２１に記録する。
【００６７】
図７に戻り、チェック種別取得部３２４は、地物の調査結果のチェック種別を取得して調査結果記憶部３２１に記録する。例えばチェック種別取得部３２４は、上記チェックボタン４２５，４２６，４２７のいずれか押されたかに基づいてチェック種別を取得する。また、チェック種別取得部３２４は、チェック種別の取得日時を上記調査日時として調査結果記憶部３２１に記録する。
【００６８】
経路記憶部３２５は、地物調査の実行期間における端末３００の移動経路を示す経路データ（図４参照）を記憶する。地物調査の実行期間は、例えば上記調査開始ボタン４２２を押す操作の後、全ての調査対象区画の地物の調査が完了するまでの期間である。
【００６９】
現在位置情報取得部３２６は、後述のセンサ３９７等から端末３００の現在位置の情報を取得し、現在の日時と現在位置とを対応付けて経路記憶部３２５に記録することを、上記地物調査の実行期間において所定の周期で繰り返す。これにより、経路記憶部３２５に上記経路データが記録される。
【００７０】
調査結果送信部３２７は、調査結果記憶部３２１が記憶する地物の調査結果のうち、地図情報の更新に必要な項目と、経路データ（移動経路の情報）とを更新情報管理サーバ１００の調査結果登録部１１２に送信する。
【００７１】
端末３００は、更新情報管理サーバ１００により設定された上記パラメータ（以下、「共通パラメータ」という。）に基づいて地物の情報の入力インタフェース（例えば情報編集画面５００）を表示するように構成されていてもよい。また、端末３００は、上記共通パラメータと、端末３００内で設定されたパラメータ（以下、「個別パラメータ」という。）とに基づいて地物の情報の入力インタフェースを表示するように構成されていてもよい。例えば端末３００は、パラメータ受信部３３４と、共通パラメータ記憶部３３１と、パラメータ設定部３３３と、個別パラメータ記憶部３３２とを更に有する。
【００７２】
パラメータ受信部３３４は、共通パラメータを更新情報管理サーバ１００のパラメータ更新部１５３から受信する。共通パラメータ記憶部３３１は、パラメータ受信部３３４が受信した共通パラメータを記憶する。
【００７３】
パラメータ設定部３３３は、端末３００への操作入力（例えば後述の入力デバイス３９６への操作入力）に基づいて上記個別パラメータを設定する。例えばパラメータ設定部３３３は、情報編集画面５００において項目追加ボタン５３２を押す操作に応じて、新たな項目用のパラメータの設定画面を表示し、当該設定画面への入力に基づいて当該新たな項目用のパラメータを設定する。パラメータの具体例としては、入力用のコントロールの種類及び入力規則等が挙げられる。パラメータは、入力用のコントロールへの入力をガイドするために入力インタフェースに表示されるガイド用メッセージを更に含んでいてもよい。
【００７４】
個別パラメータ記憶部３３２は、パラメータ設定部３３３により設定された個別パラメータを記憶する。地物情報取得部３２２は、共通パラメータ記憶部３３１が記憶する共通パラメータと、個別パラメータ記憶部３３２が記憶する個別パラメータとに基づいて、地物の情報の入力インタフェース（例えば情報編集画面５００）を表示する。
【００７５】
端末３００は、調査結果記憶部３２１が記憶する地物の調査結果のうち、地図情報の更新に不要な項目（以下、「付帯情報」という。）を端末３００内に保存するように構成されていてもよい。例えば端末３００は、付帯情報記憶部３４１と、付帯情報登録部３４２とを更に有する。付帯情報記憶部３４１は、付帯情報を記憶する。付帯情報登録部３４２は、調査結果記憶部３２１が記憶する地物の調査結果から付帯情報を抽出して付帯情報記憶部３４１に記録する。
【００７６】
端末３００は、付帯情報を保存した後の地物調査において、付帯情報に更に基づいて調査用メイン画面４００、情報編集画面５００又は形状編集画面６００等を表示するように構成されていてもよい。例えばＵＩ画面表示部３１４は、調査対象情報記憶部３１２が記憶する既登録情報と、ルート情報取得部３１３が取得した推奨ルートと、付帯情報記憶部３４１が記憶する付帯情報とに基づいて調査用メイン画面４００を表示する。
【００７７】
図１２は、更新情報管理サーバ１００、地図情報管理サーバ２００及び端末３００のハードウェア構成を例示するブロック図である。例えば更新情報管理サーバ１００は、回路１９０を有する。回路１９０は、一つ又は複数のプロセッサ１９１と、メモリ１９２と、ストレージ１９３と、通信ポート１９４とを有する。ストレージ１９３は、例えばハードディスク等、コンピュータによって読み取り可能な記録媒体を有する。
【００７８】
ストレージ１９３は、調査対象区画に対して調査員が行う地物調査において、調査員が端末３００に入力した地物の調査結果と、地物調査の実行期間における端末３００の移動経路の情報とを取得することと、調査対象区画の地図情報における所在地と、地物調査の実行期間における端末３００の移動経路とに基づいて、調査員の動態の妥当性を評価することとを更新情報管理サーバ１００に実行させるためのプログラムを記憶している。例えばストレージ１９３は、上述した更新情報管理サーバ１００の各機能ブロックを構成するためのプログラムを記憶している。
【００７９】
メモリ１９２は、ストレージ１９３からロードしたプログラム及びプロセッサ１９１による演算結果を一時的に記憶する。プロセッサ１９１は、メモリ１９２と協働して上記プログラムを実行することで、上述した各機能ブロックを構成する。通信ポート１９４は、プロセッサ１９１からの指令に従い、ローカルエリアネットワーク９１２を介して地図情報管理サーバ２００との間でデータ通信を行う。また、通信ポート１９４は、プロセッサ１９１からの指令に従い、ワイドエリアネットワーク９１１を介して端末３００との間でデータ通信を行う。
【００８０】
例えば地図情報管理サーバ２００は、回路２９０を有する。回路２９０は、一つ又は複数のプロセッサ２９１と、メモリ２９２と、ストレージ２９３と、通信ポート２９４とを有する。ストレージ２９３は、例えばハードディスク等、コンピュータによって読み取り可能な記録媒体を有する。
【００８１】
ストレージ２９３は、端末３００により入力された地物の調査結果に基づいて地図情報を更新することと、地物の調査結果を入力した調査員の動態の妥当性に基づいて、当該地物の調査結果に基づく地図情報の更新可否を判定することとを地図情報管理サーバ２００に実行させるためのプログラムを記憶している。例えばストレージ２９３は、上述した地図情報管理サーバ２００の各機能ブロックを構成するためのプログラムを記憶している。
【００８２】
メモリ２９２は、ストレージ２９３からロードしたプログラム及びプロセッサ２９１による演算結果を一時的に記憶する。プロセッサ２９１は、メモリ２９２と協働して上記プログラムを実行することで、上述した各機能ブロックを構成する。通信ポート２９４は、プロセッサ２９１からの指令に従い、ローカルエリアネットワーク９１２を介して更新情報管理サーバ１００との間でデータ通信を行う。
【００８３】
例えば端末３００は、回路３９０を有する。回路３９０は、一つ又は複数のプロセッサ３９１と、メモリ３９２と、ストレージ３９３と、通信ポート３９４と、表示デバイス３９５と、入力デバイス３９６と、センサ３９７とを有する。ストレージ２９３は、例えばハードディスク等、コンピュータによって読み取り可能な記録媒体を有する。
【００８４】
ストレージ３９３は、地物調査において、調査員が自端末に入力した地物の調査結果を取得することと、地物調査の実行期間における自端末の移動経路の情報を取得することと、地物の調査結果と、移動経路の情報とを更新情報管理サーバ１００に送信することと、を端末３００に実行させるためのプログラムを記憶している。例えばストレージ３９３は、上述した端末３００の各機能ブロックを構成するためのプログラムを記憶している。
【００８５】
メモリ３９２は、ストレージ３９３からロードしたプログラム及びプロセッサ３９１による演算結果を一時的に記憶する。プロセッサ３９１は、メモリ３９２と協働して上記プログラムを実行することで、上述した各機能ブロックを構成する。通信ポート３９４は、プロセッサ３９１からの指令に従い、ワイドエリアネットワーク９１１を介して更新情報管理サーバ１００との間でデータ通信を行う。表示デバイス３９５及び入力デバイス３９６は、端末３００のユーザインタフェースとして機能する。表示デバイス３９５は、例えば液晶モニタ等を含み、調査員に対する情報表示に用いられる。入力デバイス３９６は、例えばキーボード等であり、調査員による入力情報を取得する。表示デバイス３９５及び入力デバイス３９６は、例えばタッチパネルとして一体化されていてもよい。センサ３９７は、端末３００の現在地を特定する。センサ３９７は、例えばＧＰＳ（Ｇｌｏｂａｌ  Ｐｏｓｉｔｉｏｎｉｎｇ  Ｓｙｓｔｅｍ）用の衛星信号を受信するＧＰＳセンサである。センサ３９７は、無線ＬＡＮ（Ｌｏｃａｌ  Ａｒｅａ  Ｎｅｔｗｏｒｋ）アクセスポイントとの無線通信により端末３００の現在地を特定してもよい。センサ３９７は、地磁気、速度、加速度等に基づいて端末３００の現在地を特定してもよい。例えば、センサ３９７は、加速度センサ、電子コンパス、ジャイロスコープ等の各種センサを含んでいてもよい。
【００８６】
〔地図情報管理手順〕
続いて、地図情報管理方法の一例として、地図情報管理システム１が実行する地図情報管理手順を説明する。この手順は、更新情報管理サーバ１００が端末３００から地物の調査結果を取得して更新情報記憶部１１１に記録する手順（以下、「調査結果記録手順」という。）と、更新情報管理サーバ１００が調査対象区画の既登録情報を端末３００に送信する手順（以下、「調査対象の情報送信手順」という。）と、更新情報管理サーバ１００が共通パラメータを更新する手順（以下、「パラメータ更新手順」という。）と、地図情報管理サーバ２００が地図情報を更新する手順（以下、「地図情報の更新手順」という。）と、端末３００が調査用メイン画面を表示する手順（以下、「メイン画面表示手順」という。）と、端末３００が地物の調査結果を取得する手順（以下、「調査結果取得手順」という。）とを含む。以下、各手順を詳細に例示する。
【００８７】
（調査結果記録手順）
図１３に示すように、更新情報管理サーバ１００は、まずステップＳ０１，Ｓ０２，Ｓ０３，Ｓ０４を実行する。ステップＳ０１では、調査結果登録部１１２が、地物調査の結果と、地物調査の実行期間における端末３００の移動経路との端末３００からの受信を待機する。ステップＳ０２では、調査結果登録部１１２が、端末３００から受信した地物調査の結果に基づいて調査対象区画ごとに上記更新データを更新情報記憶部１１１に記録する。
【００８８】
ステップＳ０３では、動態評価部１１４が、調査対象区画の地図情報における所在地と、地物調査における端末３００の移動経路とに基づいて、調査員の動態の妥当性を評価し、評価結果を更新情報記憶部１１１に記録する。例えば動態評価部１１４は、調査対象区画ごとに、上記更新データの「所在地」と、上記更新データの「経路データＩＤ」により示される経路データとに基づいて上記評価ポイントを算出し、算出した評価ポイントを更新情報記憶部１１１に記録する。ステップＳ０３の具体的内容については後述する。ステップＳ０４では、再調査要求部１２１が、端末３００から受信した地物の調査結果に基づき更新情報記憶部１１１に記録した更新データの全てにおいて、評価ポイントが所定の閾値以上となっているかを確認する。
【００８９】
ステップＳ０４において評価ポイントが所定の閾値未満となっている更新データがあると判定した場合、更新情報管理サーバ１００はステップＳ０５を実行する。ステップＳ０５では、再調査要求部１２１が、端末３００（上記担当端末）に地物の再調査を要求するメッセージを送信する。その後、更新情報管理サーバ１００は処理をステップＳ０１に戻す。
【００９０】
ステップＳ０４において評価ポイントが所定の閾値以上となっていると判定した場合、更新情報管理サーバ１００はステップＳ０５を実行することなく処理をステップＳ０１に戻す。以後、端末３００から地物の調査結果を受信する度に、更新データの登録と、調査員の動態の評価とが繰り返され、必要に応じて端末３００に対して再調査が要求される。
【００９１】
図１４は、ステップＳ０３における動態の妥当性評価手順を示すフローチャートである。図１４に示すように、更新情報管理サーバ１００は、まずステップＳ１１，Ｓ１２，Ｓ１３，Ｓ１４，Ｓ１５を実行する。ステップＳ１１では、動態評価部１１４が、ステップＳ０２において登録された更新データのいずれかを選択する。ステップＳ１２では、動態評価部１１４が、調査対象区画の所在地を更新データに基づいて特定する。
【００９２】
ステップＳ１３では、動態評価部１１４が、ステップＳ１２で特定した所在地と、更新データの経路データＩＤにより示される経路データとに基づいて、調査員の動態の妥当性の評価ポイントを算出する。ステップＳ１４では、動態評価部１１４が、評価ポイントの算出結果を調査対応区画に対応付けて更新情報記憶部１１１に記録する。ステップＳ１５では、動態評価部１１４が、ステップＳ０２において登録された全ての更新データについて評価ポイントの算出が完了したかを確認する。
【００９３】
ステップＳ１５において、登録された更新データのうち評価ポイントの算出がなされていないものがあると判定した場合、更新情報管理サーバ１００はステップＳ１６を実行する。ステップＳ１６では、動態評価部１１４が、ステップＳ０２において登録された更新データから次の更新データを選択する。その後、更新情報管理サーバ１００は処理をステップＳ１２に戻す。以後、全て更新データについて評価ポイントの算出が完了するまで、更新データの選択と評価ポイントの算出とが繰り返される。ステップＳ１５において、全ての更新データについて評価ポイントの算出が完了した場合、動態の妥当性評価手順が完了する。
【００９４】
（調査対象の情報送信手順）
図１５に示すように、更新情報管理サーバ１００は、Ｓ２１，Ｓ２２，Ｓ２３，Ｓ２４，Ｓ２５，Ｓ２６を順に実行する。ステップＳ２１では、端末３００から調査エリアの既登録情報が要求されるのを調査対象情報送信部１３１が待機する。ステップＳ２２では、調査対象情報送信部１３１が、端末３００の調査エリアに含まれる複数の区画の既登録情報を地図情報管理サーバ２００から取得する。
【００９５】
ステップＳ２３では、上記基準点が調査エリアに含まれるか否かに基づいて、調査エリア内のいずれの区画が調査対象区画であるかを調査対象情報送信部１３１が特定する。ステップＳ２４では、調査対象情報送信部１３１が、ステップＳ２２で取得した複数の区画の既登録情報を端末３００に送信する。また、調査対象情報送信部１３１は、いずれの区画が調査対象区画であるかを端末３００に通知する。
【００９６】
ステップＳ２５では、ルート導出部１３２が、調査エリアに含まれる複数の調査対象区画の推奨ルートを導出する。例えばルート導出部１３２は、端末３００の調査エリアに含まれる複数の調査対象区画のそれぞれについて最新の調査日時を地図情報管理サーバ２００から取得し、当該複数の調査対象区画を最新の調査日時順に経由するルートを推奨ルートとして導出する。
【００９７】
ルート導出部１３２は、端末３００の複数の移動経路に基づいて推奨ルートを導出してもよい。例えば、図８において３つの移動経路があり、この３つの移動経路が第１の移動経路（地物４１２Ａ、地物４１２Ｂ、地物４１２Ｃ、地物４１２Ｄ、地物４１２Ｅ、地物４１２Ｆ、地物４１２Ｇ、地物４１２Ｈを順に経由する経路）、第２の移動経路（地物４１２Ｈ、地物４１２Ｇ、地物４１２Ｆ、地物４１２Ｅ、地物４１２Ｄ、地物４１２Ｃ、地物４１２Ｂ、地物４１２Ａを順に経由する経路）、及び第３の移動経路（地物４１２Ａ、地物４１２Ｂ、地物４１２Ｃ、地物４１２Ｄ、地物４１２Ｅ、地物４１２Ｆ、地物４１２Ｇ、地物４１２Ｈを順に経由する経路）を含む場合、第１及び第３の移動経路に基づき、地物４１２Ａ、地物４１２Ｂ、地物４１２Ｃ、地物４１２Ｄ、地物４１２Ｅ、地物４１２Ｆ、地物４１２Ｇ、地物４１２Ｈを順に経由する経路を推奨ルートとして導出してもよい。すなわち、ルート導出部１３２は、複数の移動経路のうち件数の多い物を推奨ルートとして導出してもよい。
【００９８】
また、図８において、上記第１の移動経路と第２の移動経路とを含む２つの移動経路が存在する場合、ルート導出部１３２は、第１の移動経路の時系列データと第２の移動経路の時系列データとを用いて、移動時間のより少ない移動経路を推奨経路として導出してもよい。
【００９９】
ステップＳ２６では、ルート導出部１３２が、導出した推奨ルートを端末３００に送信する。その後、更新情報管理サーバ１００は処理をステップＳ２１に戻す。以後、端末３００から既登録情報が要求される度に、既登録情報の取得及び送信と、調査対象区画の通知と、推奨ルートの送信とが実行される。
【０１００】
（パラメータ更新手順）
図１６に示すように、更新情報管理サーバ１００は、ステップＳ３１，Ｓ３２，Ｓ３３，Ｓ３４，Ｓ３５を順に実行する。ステップＳ３１では、パラメータ設定部１５１が、更新情報管理サーバ１００の操作者用の端末（以下、「操作者端末」という。）等から、上記共通パラメータの設定が要求されるのを待機する。ステップＳ３２では、パラメータ設定部１５１が、操作者端末等に、共通パラメータの入力画面を表示する。
【０１０１】
ステップＳ３３では、パラメータ設定部１５１が、上記入力画面に入力された共通パラメータの登録指令を待機する。例えば、上記入力画面において登録ボタンを押す操作等が行われるのを待機する。ステップＳ３４では、パラメータ設定部１５１が、上記入力画面に入力された共通パラメータをパラメータ記憶部１５２に記録する。
【０１０２】
ステップＳ３５では、パラメータ記憶部１５２が記憶する共通パラメータをパラメータ更新部１５３が複数の端末３００に送信する。その後、更新情報管理サーバ１００は処理をステップＳ３１に戻す。以後、操作者端末等から共通パラメータの設定が要求される度に、共通パラメータの入力画面の表示と、入力された共通パラメータの記録と、共通パラメータの送信とが実行される。
【０１０３】
（地図情報の更新手順）
図１７に示すように、地図情報管理サーバ２００は、まずステップＳ４１を実行する。ステップＳ４１では、現在が所定の更新タイミングであるか否かを更新可否判定部２１２が確認する。所定の更新タイミングは、例えば所定の周期で繰り返すように設定されている。
【０１０４】
ステップＳ４１において現在が所定の更新タイミングであると判定した場合、地図情報管理サーバ２００はステップＳ４２，Ｓ４３を実行する。ステップＳ４２では、更新情報記憶部１１１が記憶する更新データのいずれかを更新可否判定部２１２が選択する。
【０１０５】
ステップＳ４３では、更新可否判定部２１２が、更新データに対応付けられた調査員の動態の妥当性の評価結果（例えば評価ポイント）に基づいて、当該更新データに基づく地図情報の更新が可であるか否を判定する。一例として、更新可否判定部２１２は、調査対象区画に対応付けられた評価ポイントが上記閾値を超えている場合には、当該調査対象区画の更新データに基づく地図情報の更新を可とする。
【０１０６】
ステップＳ４３において更新データに基づく地図情報の更新が可であると判定した場合、地図情報管理サーバ２００はステップＳ４４を実行する。ステップＳ４４では、更新状況認識部２１３が、更新データにおける地物の情報の更新状況を確認する。例えば更新状況認識部２１３は、調査後の地物の情報が調査前の地物の情報から変わっているか否かを確認する。
【０１０７】
ステップＳ４４において調査後の地物の情報が調査前の地物の情報から変わっていると判定した場合、地図情報管理サーバ２００はステップＳ４５を実行する。ステップＳ４５では、更新部２１４が、更新データの調査後の地物の情報を地図情報記憶部２１１に上書きする。
【０１０８】
地図情報管理サーバ２００は、次にステップＳ４６を実行する。ステップＳ４４において調査後の地物の情報が調査前の地物の情報から変わっていないと判定した場合、地図情報管理サーバ２００は、ステップＳ４５を実行することなくステップＳ４６を実行する。ステップＳ４６では、調査日時記録部２２１が、更新データの調査日時を地物の情報の調査日時として地図情報記憶部２１１に上書きする。
【０１０９】
地図情報管理サーバ２００は、次にステップＳ４７を実行する。ステップＳ４３において更新データに基づく地図情報の更新が不可であると判定した場合、地図情報管理サーバ２００は、ステップＳ４４，Ｓ４５，Ｓ４６を実行することなくステップＳ４７を実行する。ステップＳ４７では、全ての更新データについての更新可否の判定が完了したか否かを更新可否判定部２１２が確認する。
【０１１０】
ステップＳ４７において更新可否が判定されていない更新データが残っていると判定した場合、地図情報管理サーバ２００はステップＳ４８を実行する。ステップＳ４８では、更新可否判定部２１２が次の更新データを選択する。その後、地図情報管理サーバ２００は処理をステップＳ４３に戻す。以後、全ての更新データについての更新可否の確認が完了するまでは、更新可否の確認と、更新可である場合の地図情報の更新とが繰り返される。
【０１１１】
ステップＳ４７において全ての更新データについて更新可否の判定が完了していると判定した場合、地図情報管理サーバ２００は処理をステップＳ４１に戻す。以後、更新タイミングが到来する度に、地図情報の更新が実行される。
【０１１２】
ステップＳ４１において現在が所定の更新タイミングではないと判定した場合、地図情報管理サーバ２００はステップＳ５１を実行する。ステップＳ５１では、調査日時表示部２２２が、地図情報の利用者等の端末により、調査日時の表示が要求されているか否かを確認する。ステップＳ５１において調査日時の表示が要求されていないと判定した場合、地図情報管理サーバ２００は処理をステップＳ４１に戻す。
【０１１３】
ステップＳ５１において調査日時の表示が要求されていると判定した場合、地図情報管理サーバ２００はステップＳ５２，Ｓ５３を実行する。ステップＳ５２では、調査日時表示部２２２が、地図情報の利用者等により指定された地物の最新の調査結果が入力された日時を地図情報から取得する。例えば調査日時表示部２２２は、操作者用の端末により指定された地物の調査日時を地図情報記憶部２１１の地図情報から取得し、当該日時を操作者用の端末に表示させる。
【０１１４】
ステップＳ５３では、取得した調査日時を調査日時表示部２２２が地図情報の利用者等の端末に表示する。その後、地図情報管理サーバ２００は処理をステップＳ４１に戻す。
【０１１５】
（メイン画面表示手順）
図１８に示すように、端末３００は、ステップＳ６１，Ｓ６２，Ｓ６３，Ｓ６４，Ｓ６５，Ｓ６６，Ｓ６７，Ｓ６８，Ｓ６９，Ｓ７１を順に実行する。ステップＳ６１では、ＵＩ画面表示部３１４が、端末３００において調査員用のプログラム（アプリケーション）が起動されるのを待機する。ステップＳ６２では、ＵＩ画面表示部３１４が上記調査用メイン画面を表示する。この時点においては、既登録情報及び推奨ルート等が取得されていないので、上述した調査エリアウィンドウ４１０内に調査エリアは表示されない。
【０１１６】
ステップＳ６３では、地物調査の開始指令が入力されるのを調査対象情報受信部３１１が待機する。例えば調査対象情報受信部３１１は、調査用メイン画面４００において調査開始ボタン４２２を押す操作がなされるのを待機する。ステップＳ６４では、現在位置情報取得部３２６が、センサ３９７等から端末３００の現在位置の情報を取得し、現在の日時と現在位置とを対応付けて経路記憶部３２５に記録することを開始する。以後現在位置情報取得部３２６は、現在位置の情報及び現在の日時の記録を所定の周期で繰り返す。
【０１１７】
ステップＳ６５では、調査対象情報受信部３１１が、自端末の上記調査エリアを指定し、当該調査エリアに含まれる複数の区画の上記既登録情報の送信を更新情報管理サーバ１００に要求する。ステップＳ６６では、調査対象情報受信部３１１が、複数の区画の上記既登録情報の受信を待機する。また、ルート情報取得部３１３が上記推奨ルートの受信を待機する。ステップＳ６７では、調査対象情報受信部３１１が、受信した既登録情報を調査対象情報記憶部３１２に記録する。
【０１１８】
ステップＳ６８では、調査対象情報記憶部３１２が記憶する既登録情報に基づいて、調査エリアウィンドウ４１０内に表示する調査エリアの画像データをＵＩ画面表示部３１４が生成する。ステップＳ６９では、ルート情報取得部３１３が取得した推奨ルートを調査エリアの画像に重畳させるための表示用データをＵＩ画面表示部３１４が生成する。ステップＳ７１では、ＵＩ画面表示部３１４が、調査エリアの画像に推奨ルートの表示を重畳させて調査エリアウィンドウ４１０に表示する。以上でメイン画面表示手順が完了する。
【０１１９】
（調査結果取得手順）
図１９に示すように、端末３００は、まずステップＳ８１，Ｓ８２を実行する。ステップＳ８１では、調査エリアウィンドウ４１０において調査対象区画のいずれかが選択されるのを地物情報取得部３２２が待機する。ステップＳ８２では、チェック種別が入力されているか否かをチェック種別取得部３２４が確認する。例えばチェック種別取得部３２４は、上記チェックボタン４２５，４２６，４２７のいずれかが押されているか否かを確認する。
【０１２０】
ステップＳ８２においてチェック種別が入力されていないと判定した場合、端末３００はステップＳ８３を実行する。ステップＳ８３では、地物の情報の編集が要求されているか否かを地物情報取得部３２２が確認する。例えば地物情報取得部３２２は、情報編集ボタン４２３を押す操作がなされているか否かを確認する。
【０１２１】
ステップＳ８３において地物の情報の編集が要求されていないと判定した場合、端末３００はステップＳ８４を実行する。ステップＳ８４では、地物の形状の編集が要求されているか否かを地物情報取得部３２２が確認する。例えば地物情報取得部３２２は、形状編集ボタン４２４を押す操作がなされているか否かを確認する。
【０１２２】
ステップＳ８４において地物の形状の編集が要求されていないと判定した場合、端末３００は処理をステップＳ８２に戻す。以後、端末３００は、チェック種別の入力と、地物の情報の編集要求と、地物の形状の編集要求とのいずれかを待機する。
【０１２３】
ステップＳ８３において地物の情報の編集が要求されていると判定した場合、端末３００はステップＳ８５を実行する。ステップＳ８５では、地物情報取得部３２２が地物情報の取得処理を実行する。ステップＳ８５の具体的内容については後述する。
【０１２４】
ステップＳ８４において地物の形状の編集が要求されていると判定した場合、端末３００はステップＳ８６を実行する。ステップＳ８６では、地物情報取得部３２２が地物形状の取得処理を実行する。ステップＳ８６の具体的内容についても後述する。
【０１２５】
ステップＳ８５，Ｓ８６の後、端末３００は処理をステップＳ８２に戻す。ステップＳ８２においてチェック種別が入力されていると判定した場合、端末３００はステップＳ９１，Ｓ９２，Ｓ９３，Ｓ９４を実行する。ステップＳ９１では、チェック種別取得部３２４が、チェック種別の取得日時を上記調査日時として調査結果記憶部３２１に記録する。
【０１２６】
ステップＳ９２では、チェック種別取得部３２４が、地物の調査結果のチェック種別を取得して調査結果記憶部３２１に記録する。例えばチェック種別取得部３２４は、上記チェックボタン４２５，４２６，４２７のいずれか押されたかに基づいてチェック種別を取得する。
【０１２７】
ステップＳ９３では、チェック種別取得部３２４が取得したチェック種別を示すマークをＵＩ画面表示部３１４が調査エリアウィンドウ４１０に表示する。例えばＵＩ画面表示部３１４は、いずれのチェック種別であるかを色彩等で表すチェックマークを調査対象区画の画像に重畳表示させる。ステップＳ９４では、チェック種別取得部３２４が、全ての調査対象区画についてチェック種別が取得されたか否かを確認する。ステップＳ９４においてチェック種別が取得されていない調査対象区画が残っていると判定した場合、端末３００は処理をステップＳ８１に戻す。以後、調査対象区画の選択と、地物の調査結果の取得とが繰り返される。
【０１２８】
ステップＳ９４において全ての調査対象区画についてチェック種別が取得されたと判定した場合、端末３００はステップＳ９５，Ｓ９６を実行する。ステップＳ９５では、現在位置情報取得部３２６が現在位置の情報及び現在の日時の記録を停止する。ステップＳ９６では、調査結果記憶部３２１が記憶する地物の調査結果のうち、地図情報の更新に必要な項目と、経路データ（移動経路の情報）とを調査結果送信部３２７が更新情報管理サーバ１００に送信する。以上で調査結果取得手順が完了する。
【０１２９】
図２０は、ステップＳ８５における地物情報の取得処理手順を示すフローチャートである。図２０に示すように、端末３００は、まずステップＳ１０１，Ｓ１０２を実行する。ステップＳ１０１では、地物情報取得部３２２が、上述した情報編集画面を表示する。ステップＳ１０２では、地物情報取得部３２２が、情報登録画面に入力された地物情報の登録要求がなされているか否かを確認する。例えば地物情報取得部３２２は、登録ボタン５３１を押す操作がなされているか否かを確認する。
【０１３０】
ステップＳ１０２において、情報登録画面に入力された地物情報の登録要求がなされていないと判定した場合、端末３００はステップＳ１０３を実行する。ステップＳ１０３では、地物の新規の識別情報の生成が要求されているか否かを地物情報取得部３２２が確認する。
【０１３１】
ステップＳ１０３において地物の新規の識別情報の生成が要求されていないと判定した場合、端末３００はステップＳ１０４を実行する。ステップＳ１０４では、地物の情報の入力項目の追加要求がなされているか否かをパラメータ設定部３３３が確認する。例えばパラメータ設定部３３３は、項目追加ボタン５３２を押す操作がなされているか否かを確認する。ステップＳ１０４において地物の情報の入力項目の追加要求がなされていないと判定した場合、端末３００は処理をステップＳ１０２に戻す。以後、端末３００は、地物情報の登録要求等の操作入力を待機する。
【０１３２】
ステップＳ１０３において地物の新規の識別情報の生成が要求されていると判定した場合、端末３００はステップＳ１１１，Ｓ１１２，Ｓ１１３を実行する。ステップＳ１１１では、地物情報取得部３２２が、新規の識別情報の生成を更新情報管理サーバ１００の新規ＩＤ生成部１４１に要求する。ステップＳ１１２では、新規ＩＤ生成部１４１が生成した識別情報の取得を地物情報取得部３２２が待機する。ステップＳ１１３では、地物情報取得部３２２が、取得した識別情報を情報編集画面に表示する。地物情報取得部３２２は、例えば取得した識別情報を入力ボックス５１２に表示する。
【０１３３】
ステップＳ１０４において地物の情報の入力項目の追加要求がなされていると判定した場合、端末３００はステップＳ１１４，Ｓ１１５，Ｓ１１６，Ｓ１１７を実行する。ステップＳ１１４では、パラメータ設定部３３３が個別パラメータの入力画面を表示する。ステップＳ１１５では、パラメータ設定部３３３が、上記入力画面に入力された個別パラメータの登録指令を待機する。例えば、パラメータ設定部３３３は、上記入力画面において登録ボタンを押す操作等が行われるのを待機する。
【０１３４】
ステップＳ１１６では、パラメータ設定部３３３が、上記入力画面に入力された個別パラメータを個別パラメータ記憶部３３２に記録する。ステップＳ１１７では、地物情報取得部３２２が、個別パラメータ記憶部３３２に記録された個別パラメータに基づいて、情報編集画面を更新する。例えば、個別パラメータに従って、新たな項目の入力部を情報編集画面５００に追加する。ステップＳ１１３，Ｓ１１７の後、端末３００は処理をステップＳ１０２に戻す。
【０１３５】
ステップＳ１０２において、情報登録画面に入力された地物情報の登録要求がなされていないと判定した場合、端末３００はステップＳ１１８を実行する。ステップＳ１１８では、地物情報取得部３２２が、情報編集画面に入力された地物の情報を調査結果記憶部３２１に記録する。以上で地物情報の取得処理手順が完了する。
【０１３６】
図２１は、ステップＳ８６における地物形状の取得処理手順を示すフローチャートである。図２１に示すように、端末３００は、まずステップＳ１２１，Ｓ１２２を実行する。ステップＳ１２１では、地物情報取得部３２２が、上述した形状編集画面を表示する。ステップＳ１２２では、地物情報取得部３２２が、上述した形状編集画面において、地物画像の一部に触れるタッチ操作がなされているか否かを確認する。
【０１３７】
ステップＳ１２２において、地物画像の一部に触れるタッチ操作がなされていると判定した場合、端末３００は、ステップＳ１２３，Ｓ１２４を実行する。ステップＳ１２３では、地物情報取得部３２２が、地物画像のうち、タッチ操作により触れられた箇所を上記編集対象箇所とする。ステップＳ１２４では、編集対象箇所を移動させる操作がなされているか否かを地物情報取得部３２２が確認する。
【０１３８】
ステップＳ１２４において、編集対象箇所を移動させる操作がなされていないと判定した場合、端末３００はステップＳ１２５を実行する。ステップＳ１２５では、形状編集画面に対するタッチ操作が解除されたか否かを地物情報取得部３２２が確認する。
【０１３９】
ステップＳ１２５において形状編集画面に対するタッチ操作が解除されていないと判定した場合、端末３００は処理をステップＳ１２４に戻す。以後、端末３００は、編集対象箇所の移動、及びタッチ操作の解除のいずれかがなされるのを待機する。
【０１４０】
ステップＳ１２４において、編集対象箇所を移動させる操作がなされていると判定した場合、端末３００はステップＳ１２６，Ｓ１２７，Ｓ１２８を実行する。ステップＳ１２６では、地物情報取得部３２２が地物画像の表示位置を変更する。ステップＳ１２７では、地物情報取得部３２２が、編集対象箇所の移動操作に応じて地物画像の形状を変更する。ステップＳ１２８では、形状編集画面に対するタッチ操作が解除されたか否かを地物情報取得部３２２が確認する。
【０１４１】
ステップＳ１２８において形状編集画面に対するタッチ操作が解除されていないと判定した場合、端末３００は処理をステップＳ１２７に戻す。以後、タッチ操作が解除されるまでは、編集対象箇所の移動操作に応じた地物画像の形状変更が継続される。
【０１４２】
ステップＳ１２５において形状編集画面に対するタッチ操作が解除されたと判定した場合、及びステップＳ１２８において形状編集画面に対するタッチ操作が解除されたと判定した場合、端末３００はステップＳ１３１を実行する。ステップＳ１３１では、地物情報取得部３２２が、形状編集画面に入力された地物形状の登録要求がなされているか否かを確認する。例えば地物情報取得部３２２は、登録ボタン６２１を押す操作がなされているか否かを確認する。
【０１４３】
ステップＳ１３１において、形状編集画面に入力された地物形状の登録要求がなされていないと判定した場合、端末３００は処理をステップＳ１２２に戻す。以後、地物形状の登録要求がなされるまでは、地物画像の形状の編集が継続される。
【０１４４】
ステップＳ１３１において、形状編集画面に入力された地物形状の登録要求がなされていると判定した場合、端末３００はステップＳ１３２を実行する。ステップＳ１３２では、地物情報取得部３２２が、形状編集画面に入力された地物形状を調査結果記憶部３２１に記録する。以上で地物形状の取得処理手順が完了する。
【０１４５】
〔本実施形態の効果〕
以上に説明したように、地図情報管理装置２は、所在地と地物の情報とを土地の区画ごとに示す地図情報を更新するために、調査対象区画に対して調査員が行う地物調査において、調査員が端末３００に入力した地物の調査結果と、地物調査における端末３００の移動経路の情報とを取得する調査結果登録部１１２と、調査対象区画の地図情報における所在地と、地物調査における端末３００の移動経路とに基づいて、調査員の動態の妥当性を評価する動態評価部１１４と、を備える。
【０１４６】
地物の調査結果が入力された区画の所在地と、当該地物を調査するための端末３００の移動経路とを対比することで、地物の調査が適切な場所で行われたかを評価することが可能となる。従って、地図情報管理装置２によれば、地物の調査結果が入力された区画の所在地と、当該区画を調査するための端末３００の移動経路とに基づくことで、調査員の動態の妥当性を適切に評価することができる。
【０１４７】
動態評価部１１４は、調査対象区画の地物の調査結果が端末３００に入力された日時と、当該調査対象区画を端末３００が経由した日時とに更に基づいて調査員の動態の妥当性を評価してもよい。この場合、地物の調査結果が入力された時刻と、当該地物が所在する区画を端末３００が経由した時刻との差に基づくことで、地物の調査後適切なタイミングで調査結果の入力が行われたかを評価することが可能となる。従って、地物の調査結果が入力された時刻と、当該地物が所在する区画を端末３００が経由した時刻とに更に基づくことで、調査員の動態の妥当性をより適切に評価することができる。
【０１４８】
地図情報管理装置２は、端末３００により入力された地物の調査結果に基づいて地図情報を更新する更新部２１４と、地物の調査結果を入力した調査員の動態の妥当性に基づいて、当該地物の調査結果に基づく地図情報の更新可否を判定する更新可否判定部２１２と、を更に備えていてもよい。この場合、調査員の動態の妥当性の評価結果を、地図情報の信頼性向上に活かすことができる。
【０１４９】
地図情報管理装置２は、地物調査において地物の調査結果が端末３００に入力された日時を、当該地物の情報に対応付けて地図情報に追加する調査日時記録部２２１と、指定された地物の最新の調査結果が入力された日時を地図情報に基づいて表示する調査日時表示部２２２と、を更に備えていてもよい。この場合、地図情報の利用者に対してより高い利便性を提供することができる。
【０１５０】
地図情報管理装置２は、複数の調査対象区画のそれぞれに対し最新の調査結果が入力された日時に基づいて、当該複数の調査対象区画を調査するための推奨ルートを導出するルート導出部１３２を更に備えていてもよい。この場合、調査員に対してより高い利便性を提供することができる。
【０１５１】
以上、実施形態について説明したが、本発明は必ずしも上述した実施形態に限定されるものではなく、その要旨を逸脱しない範囲で様々な変形が可能である。
【０１５２】
〔変形例〕
上述した実施形態では、調査員が行う地物調査の例を説明したが、地図情報管理システム１は、対象区画に対して訪問者が行う訪問活動にも適用可能である。この場合、更新情報管理サーバ１００は、調査結果登録部１１２に代えて、訪問者が端末３００に入力した訪問活動結果と、訪問活動における端末３００の移動経路の情報とを取得する訪問結果登録部を備えていてもよい。この場合、動態評価部１１４は、対象区画の地図情報における所在地と、訪問活動における端末３００の移動経路とに基づいて、訪問者の動態の妥当性を評価する。
【０１５３】
訪問活動結果が入力された区画の所在地と、当該訪問活動をするための端末３００の移動経路とを対比することで、訪問活動が適切な場所で行われたかを評価することが可能となる。従って、地図情報管理装置２によれば、訪問活動結果が入力された区画の所在地と、当該区画を訪問するための端末３００の移動経路とに基づくことで、訪問者の動態の妥当性を適切に評価することができる。
【０１５４】
動態評価部１１４は、対象区画の訪問活動が端末３００に入力された日時と、当該対象区画を端末３００が経由した日時とに更に基づいて訪問者の動態の妥当性を評価してもよい。この場合、区画への訪問活動が入力された時刻と、当該区画を端末３００が経由した時刻との差に基づくことで、区画への訪問後適切なタイミングで訪問活動結果の入力が行われたか評価することが可能となる。従って、区画への訪問結果が入力された時刻と、当該区画を端末３００が経由した時刻とに更に基づくことで、訪問者の動態の妥当性をより適切に評価することができる。
【０１５５】
地図情報管理装置２は、端末３００により入力された訪問活動結果に基づいて地図情報を更新する更新部２１４と、区画への訪問活動を入力した訪問者の妥当性に基づいて、当該区画の訪問結果に基づく地図情報の更新可否を判定する更新可否判定部２１２と、を更に備えていてもよい。この場合、訪問者の動態の妥当性の評価結果を、地図情報の信頼性向上に活かすことができる。
【０１５６】
地図情報管理装置２は、調査日時記録部２２１に代えて、区画への訪問活動において訪問活動結果が端末３００に入力された日時を、当該区画の情報に対応付けて地図情報に追加する訪問日時記録部を備えていてもよい。地図情報管理装置２は、調査日時表示部２２２に代えて、指定された区画の最新の訪問活動結果が入力された日時を地図情報に基づいて表示する訪問日時表示部と、を備えていてもよい。この場合、地図情報の利用者に対してより高い利便性を提供することができる。
【０１５７】
地図情報管理装置２は、複数の対象区画のそれぞれに対し最新の訪問活動結果が入力された日時に基づいて、当該複数の対象区画を訪問するための推奨ルートを導出するルート導出部１３２を更に備えていてもよい。この場合、訪問者に対してより高い利便性を提供することができる。
【０１５８】
以上の実施形態の全部又は一部に記載された態様は、処理速度の向上、処理精度の向上、使い勝手の向上、データを利用した機能の向上又は適切な機能の提供その他の機能向上又は適切な機能の提供、データ及び／又はプログラムの容量の削減、装置及び／又はシステムの小型化等の適切なデータ、プログラム、記録媒体、装置及び／又はシステムの提供、並びにデータ、プログラム、装置又はシステムの制作・製造コストの削減、制作・製造の容易化、制作・製造時間の短縮等のデータ、プログラム、記録媒体、装置及び／又はシステムの制作・製造の適切化のいずれか一つの課題を解決する。
【符号の説明】
【０１５９】
２…地図情報管理装置、１１２…調査結果登録部（調査結果取得部）、１１４…動態評価部、１３２…ルート導出部、２１２…更新可否判定部、２１４…更新部、２２１…調査日時記録部、２２２…調査日時表示部、３００…端末。
【図１】
2020194132.tif 000003
【図２】
2020194132.tif 000004
【図３】
2020194132.tif 000005
【図４】
2020194132.tif 000006
【図５】
2020194132.tif 000007
【図６】
2020194132.tif 000008
【図７】
2020194132.tif 000009
【図８】
2020194132.tif 000010
【図９】
2020194132.tif 000011
【図１０】
2020194132.tif 000012
【図１１】
2020194132.tif 000013
【図１２】
2020194132.tif 000014
【図１３】
2020194132.tif 000015
【図１４】
2020194132.tif 000016
【図１５】
2020194132.tif 000017
【図１６】
2020194132.tif 000018
【図１７】
2020194132.tif 000019
【図１８】
2020194132.tif 000020
【図１９】
2020194132.tif 000021
【図２０】
2020194132.tif 000022
【図２１】
2020194132.tif 000023